(57)【要約】【課題】意匠性に優れたソーラーパネルを提供すること、また、そのようなソーラーパネルを有利に製造する方法を提供すること。【解決手段】基板１２と、透明性を有する封止材１４にて封止された複数のソーラーセル１６と、保護膜２０とを有するソーラーパネル１０において、保護膜２０を、透明性を有する合成樹脂材料からなる透明シートに、着色剤を含む合成樹脂材料からなる着色部３２を熱融着せしめることによって形成し、かかる着色部３２を、複数のソーラーセル１６に接続されたバスバー２６及びインターコネクタ２８を覆うように、保護膜２０において配置して、構成した。【選択図】図２
2016207960.tif 000002
【特許請求の範囲】
【請求項１】
基板と、透明性を有する封止材にて封止された複数のソーラーセルと、保護膜とを有し、該複数のソーラーセルの非受光面側が該基板によって覆われている一方、該複数のソーラーセルの受光面側が前記保護膜によって覆われて構成されるソーラーパネルであって、
前記保護膜が、透明性を有する合成樹脂材料からなる透明シートに、着色剤を含む合成樹脂材料からなる着色部が熱融着せしめられて形成されており、
前記着色部が、前記複数のソーラーセルに接続されたバスバー及びインターコネクタを覆うように、前記保護膜において配置されている、
ことを特徴とするソーラーパネル。
【請求項２】
前記着色部を構成する合成樹脂材料のメルトマスフローレートが、前記透明性を有する合成樹脂材料のメルトマスフローレートより小さいことを特徴とする請求項１に記載のソーラーパネル。
【請求項３】
請求項１又は請求項２に記載のソーラーパネルの製造方法であって、
前記保護膜を、ａ）前記透明性を有する合成樹脂材料からなる透明シートと、ｂ）前記着色剤を含む合成樹脂材料からなる着色シートであって、少なくとも前記複数のソーラーセルに接続されたバスバー及びインターコネクタを覆うことが可能な平面形状を呈するものとを、熱融着せしめることによって形成することを特徴とするソーラーパネルの製造方法。
【発明の詳細な説明】
【技術分野】
【０００１】
本発明は、ソーラーパネル及びその製造方法に係り、特に、高い意匠性を有するソーラーパネル、及びその製造方法に関するものである。
【背景技術】
【０００２】
従来から、ソーラーパネルとして、基板とガラス製の表面板との間に、電線（バスバー及びインターコネクタ）で接続された複数のソーラーセルが配置されてなる構造を呈するものが、知られている。そのようなソーラーパネルにあっては、表面側（受光面側）から電線が視認されたり、電線が太陽光を反射することによってぎらつきが発生する等、見栄えの点で問題がある。そのため、高い意匠性が要求されるソーラーパネル、例えば自動車に搭載されるソーラーパネル等においては、ガラス製の表面板に対して、電線の配線パターンに対応した形態の黒色セラミック塗装を施す等の対策がなされている。一方、軽量化を主な目的として、ガラス製の表面板に代えて合成樹脂製の表面板（表面層）を採用するソーラーパネルが種々、提案されている。
【０００３】
かかる状況の下、例えば特開２０１３−２２９５７６号公報（特許文献１）においては、表面保護層をＰＣ等の樹脂で形成すると共に、意匠性を向上させるべく、表面保護層の裏面側に設けられた補強層に配線パターンの加飾を施すことが開示されている。そこにおいて、配線パターンに対応した加飾は、補強層の表面に印刷、塗装、真空蒸着、着色等して行なう、とされている。
【先行技術文献】
【特許文献】
【０００４】
【特許文献１】特開２０１３−２２９５７６号公報
【発明の概要】
【発明が解決しようとする課題】
【０００５】
しかしながら、合成樹脂からなる表面板（表面層）に対して、印刷等の方法により加飾を行なった場合、ソーラーパネル製造の際の熱ラミネート工程等において加えられる熱により、加飾部を構成する塗料等が劣化したり、隣接する他の層（補強層、表面保護層や封止材層等）との熱収縮量の差によって加飾部に亀裂が生じたりする恐れがある。即ち、合成樹脂からなる表面板（表面層）に対して、印刷等の従来より公知の手法に従って加飾部を形成すると、最終的に得られるソーラーパネルにおいて、加飾部の滲みや乱れ等が発生して、結果として、ソーラーパネルの意匠性が低下するという問題を内在しているのである。
【０００６】
また、従来より実施されている、ガラス製の表面板に対して施される黒色セラミック塗装は、高温での焼付工程を要するため、合成樹脂製の表面板に対しては実質的に行なうことが出来ないという問題もある。
【０００７】
ここにおいて、本発明は、かかる事情を背景にして為されたものであって、その解決課題とするところは、意匠性に優れたソーラーパネルを提供することにある。また、本発明は、そのようなソーラーパネルを有利に製造する方法を提供することをも、その解決課題とするところである。
【課題を解決するための手段】
【０００８】
そして、本発明にあっては、かかる課題を解決するために、基板と、透明性を有する封止材にて封止された複数のソーラーセルと、保護膜とを有し、該複数のソーラーセルの非受光面側が該基板によって覆われている一方、該複数のソーラーセルの受光面側が前記保護膜によって覆われて構成されるソーラーパネルであって、前記保護膜が、透明性を有する合成樹脂材料からなる透明シートに、着色剤を含む合成樹脂材料からなる着色部が熱融着せしめられて形成されており、前記着色部が、前記複数のソーラーセルに接続されたバスバー及びインターコネクタを覆うように、前記保護膜において配置されていることを特徴とするソーラーパネルを、その要旨とするものである。
【０００９】
また、本発明にあっては、好ましくは、前記着色部を構成する合成樹脂材料のメルトマスフローレートが、前記透明性を有する合成樹脂材料のメルトマスフローレートより小さくされている。
【００１０】
さらに、本発明にあっては、前記した本発明に従うソーラーパネルの製造方法であって、前記保護膜を、ａ）前記透明性を有する合成樹脂材料からなる透明シートと、ｂ）前記着色剤を含む合成樹脂材料からなる着色シートであって、少なくとも前記複数のソーラーセルに接続されたバスバー及びインターコネクタを覆うことが可能な平面形状を呈するものとを、熱融着せしめることによって形成することを特徴とするソーラーパネルの製造方法をも、また、その要旨とするものである。
【発明の効果】
【００１１】
このように、本発明に従うソーラーパネルにあっては、保護膜が、透明性を有する合成樹脂材料からなる透明シートに、着色剤を含む合成樹脂材料からなる着色部が熱融着せしめられて、形成されているところから、ソーラーパネルの製造時乃至は使用時において、着色部における亀裂の発生や着色部の滲みの発生等が、効果的に抑制される。
【００１２】
そして、そのような着色部が、複数のソーラーセルに接続されたバスバー及びインターコネクタを覆うように、保護膜において配置されているところから、受光面側からバスバー及びインターコネクタが視認されたり、それらが光を反射してぎらついたりすることが有利に防止される。即ち、本発明のソーラーパネルは、乱れのない着色部によって、バスバー及びインターコネクタが覆い隠されているのであり、以て、優れた意匠性を発揮することとなるのである。
【００１３】
また、本発明に従うソーラーパネルの製造方法にあっては、上記した本発明に従うソーラーパネルを、有利に製造可能である。
【図面の簡単な説明】
【００１４】
【図１】本発明に従うソーラーパネルの一例を示す平面説明図である。
【図２】図１におけるＡ−Ａ断面拡大部分説明図である。
【図３】図１に示されるソーラーパネルを製造する際に実施される工程の一例を示す説明図であって、ソーラーパネルの各構成部材が重ね合わされた状態を示している。
【図４】図３のＢ部拡大説明図であって、（ａ）は、透明シートと着色シートとが熱融着せしめられる直前の状態を示すものであり、（ｂ）は、透明シートと着色シートとが熱融着せしめられて、保護膜が形成された状態を示すものである。
【図５】本発明に従うソーラーパネルの他の一例を、図２に対応する断面形態において示す説明図である。
【図６】本発明に従うソーラーパネルの別の一例を、図２に対応する断面形態において示す説明図である。
【発明を実施するための形態】
【００１５】
以下、本発明を更に具体的に明らかにするために、本発明の代表的な実施形態について、図面を参照しつつ、詳細に説明することとする。
【００１６】
先ず、図１及び図２には、本発明に従うソーラーパネルの一例が、その平面形態と断面形態において、それぞれ示されている。そこにおいて、ソーラーパネル１０は、全体として矩形平板形状を呈し、図２に示されるように、基板１２と、封止材１４にて封止された複数のソーラーセル１６（以下、適宜、ソーラーセル封止体１８と総称する）と、保護膜２０とを有している。また、ソーラーセル封止体１８内において、複数のソーラーセル１６は、各々の受光面が同一の方向（図２においては上方）を向くように配置されている。そして、ソーラーセル封止体１８の非受光面側（図２においては下側）を覆うように基板１２が配設され、その一方、ソーラーセル封止体１８の受光面側（図２においては上側）を覆うように保護膜２０が配設されることにより、ソーラーパネル１０は構成されているのである。なお、基板１２とソーラーセル封止体１８との間、及びソーラーセル封止体１８と保護膜２０との間には、それぞれ、接着剤層２２及び２４が介在せしめられているのであり、それら接着剤層２２、２４によって、基板１２、ソーラーセル封止体１８及び保護膜２０は、一体化されている。
【００１７】
ここで、基板１２は、主としてソーラーパネル１０に要求される剛性や耐久性等を発揮するための部材であり、本実施形態においては、炭素繊維強化プラスチック（ＣＦＲＰ）にて構成されている。なお、本発明において、基板を構成する材料は、炭素繊維強化プラスチックに限定されるものではなく、要求される剛性や耐久性、更には防湿性や絶縁性等を発揮し得る材料であれば、従来より公知の各種材料（金属材料、樹脂材料等）の何れをも使用することが可能である。ソーラーパネルの軽量化を図る観点においては、樹脂材料が有利に採用され、具体的には、ポリカーボネート（ＰＣ）、ポリメチルメタクリレート（ＰＭＭＡ）、ガラスエポキシ多層材料、環状ポリオレフィン、ポリスチレン（ＰＳ）、ポリエチレンテレフタレート（ＰＥＴ）、ポリエチレンナフタレート（ＰＥＮ）、ポリイミド（ＰＩ）、エチレン−テトラフルオロエチレン共重合体（ＥＴＦＥ）、アミド繊維強化プラスチック、及び炭素繊維やアミド繊維以外の繊維強化プラスチック（ＦＲＰ）等を、例示することが出来る。そのような公知の材料の中から、例えばソーラーパネルの用途等に応じたものが適宜に選択されて、採用されることとなる。
【００１８】
また、封止材１４は、ソーラーセル１６に太陽光を効率よく受光させるために、高い透明性を有しており、ここでは、オレフィン系の樹脂材料にて構成されている。なお、本発明において、封止材を構成する材料としては、オレフィン系の樹脂材料に限定されるものではなく、従来よりソーラーパネルにおいて、ソーラーセルを封止するために用いられている封止材であれば、何れも使用可能である。具体的には、エチレンビニルアセテート（ＥＶＡ）やポリビニルブチラール（ＰＶＢ）等を主成分とする熱可塑性の合成樹脂材料や、シリコン系の樹脂材料等を、例示することが出来る。そして、封止材１４中に、複数（ここでは、４個）のソーラーセル１６が、マトリックス状に、換言すれば、同一の面上に縦横に格子状に規則正しく、配列されて、封止（収容）されて、ソーラーセル封止体１８は構成されている。
【００１９】
さらに、本実施形態において用いられるソーラーセル１６は、一方の面が受光面とされ、他方の面が非受光面とされている、所謂、片面受光型ソーラーセルである。本発明においては、ソーラーセルとして、単結晶Ｓｉセル、多結晶Ｓｉセル、薄膜Ｓｉセル、化合物系セル、有機セル等の公知のものを何れも、使用することが出来る。なお、そのようなソーラーセルとして、両方の面が受光面とされている、所謂、両面受光型ソーラーセルを用いることも可能である。
【００２０】
また、それら複数のソーラーセル１６は、バスバー２６及びインターコネクタ２８により、互いに、電気的に接続されている。なお、ここでは、バスバー２６及びインターコネクタ２８は、その厚さを出来るだけ薄くするために、金属製の線材が、被覆されることなく、そのままの状態で使用されている。なお、ソーラーパネル１０の信頼性を高めるために、各ソーラーセル１６に対して、それぞれ２本のインターコネクタ２８、２８が接続される、所謂複合配線構造が採用されている。
【００２１】
加えて、保護膜２０は、全体として、ソーラーパネル１０に耐候性、耐摩傷性、耐薬品性、ガスバリア性等を付与するためのものであり、ここでは、太陽光を効率よく透過させるための透明性を有する、ポリカーボネート樹脂からなる透明部３０と、着色剤（樹脂用の顔料や染料）が配合されて黒色を呈するポリカーボネート樹脂からなる着色部３２とから、構成されている。
【００２２】
かかる保護膜２０において、着色部３２は、図１及び図２に示されるように、複数のソーラーセル１６に接続されたバスバー２６及びインターコネクタ２８を覆うようにして配置されており、そのような着色部３２の幅が、バスバー２６及びインターコネクタ２８の幅よりも広くされている。即ち、ソーラーパネル１０の表面側から見て、着色部３２が、バスバー２６及びインターコネクタ２８を覆い隠すように、それらに対応する位置において形成されている。これにより、ソーラーパネル１０の表面側から、バスバー２６及びインターコネクタ２８が、ソーラーパネル１０表面から直接視認されることや、バスバー２６及びインターコネクタ２８に直接太陽光が照射されることが、効果的に阻止されるのである。
【００２３】
そして、ソーラーパネル１０においては、保護膜２０が、合成樹脂材料からなる透明シートに、着色剤を含む合成樹脂材料からなる着色部３２が熱融着せしめられることによって、形成されているのである。即ち、透明シートと着色部３２とが、ここでは、同一（同質）の合成樹脂材料（ポリカーボネート樹脂）にて構成されているところから、透明シートと着色部３２とが接触した状態で加熱せしめることによって、それらの接触面において熱融着が効果的に進行し、透明シートと着色部３２とが有利に一体化せしめられているのである。
【００２４】
ここで、透明シートより与えられる透明部や着色部を構成する合成樹脂材料としては、例えば、ポリカーボネート（ＰＣ）、ポリメチルメタクリレート（ＰＭＭＡ）、環状ポリオレフィン、ポリスチレン（ＰＳ）、ポリエチレンテレフタレート（ＰＥＴ）、ポリエチレンナフタレート（ＰＥＮ）、エチレン−テトラフルオロエチレン共重合体（ＥＴＦＥ）、ポリテトラフルオロエチレン（ＰＴＦＥ）、ポリプロピレン（ＰＰ）、ポリエチレン（ＰＥ）、アクリロニトリル−ブタジエン−スチレン共重合体（ＡＢＳ）等を挙げることが出来る。更に、保護膜において、高い耐熱性が必要となる場合には、ポリエーテルサルフォン（ＰＥＳ）やポリエーテルイミド（ＰＥＩ）を用いることも出来、加えて、これらの合成樹脂材料のうちの複数種からなるアロイを用いることも可能である。それらの中でも、保護膜において必要とされる、強度や耐熱性（融点）、透明性、コスト等の種々の性能を考慮して、ＰＣ、ＰＭＭＡ、ＰＥＴ、ＰＣとＡＢＳとのアロイ（ＰＣ／ＡＢＳ）、及びＰＣとＰＥＴとのアロイ（ＰＣ／ＰＥＴ）等が、有利に用いられることとなる。
【００２５】
また、本発明のソーラーパネルにおいては、先に述べたように、保護膜２０が、透明シートと着色部３２とが熱融着せしめられて形成されているため、それらを構成する各合成樹脂材料が、互いに熱融着可能な組合せとされる必要がある。即ち、透明シートを構成する合成樹脂材料と、着色部を構成する合成樹脂材料とが、同一乃至は同質系の材料とされることが好ましく、そのような組合せとしては、例えば、ＰＣとＰＣ、ＰＭＭＡとＰＭＭＡ、ＰＥＴとＰＥＴ、ＰＣ／ＡＢＳとＰＣ、ＰＣ／ＡＢＳとＡＢＳ、ＰＣ／ＰＥＴとＰＣ、ＰＣ／ＰＥＴとＰＥＴ、等の組合せを挙げることが出来る。
【００２６】
また、本発明においては、着色部３２を構成する合成樹脂材料のメルトマスフローレート［ＭＦＲ（単位：ｇ／１０分）］が、透明部３０を構成する合成樹脂材料のメルトマスフローレートよりも小さいことが好ましい。合成樹脂材料のメルトマスフローレートとは、ＪＩＳ  Ｋ７２１０（試験温度：１９０℃、公称荷重：２．１６ｋｇ）に規定される方法によって測定されたものを意味する。本発明においては、着色部を構成する合成樹脂材料のＭＦＲ：ａが、透明部を構成する合成樹脂材料のＭＦＲ：ｂよりも小さく（ａ＜ｂ）、その差が１以上である（ｂ−ａ≧１）ことが好ましい。
【００２７】
なお、本実施形態においては、保護膜２０上に、耐薬品性、耐候性、耐摩傷性、耐衝撃性等の向上を図るべく、表面保護層３４が形成されている。
【００２８】
ところで、図１及び図２に示される如きソーラーパネル１０は、例えば、以下の方法に従って、有利に製造することが出来る。なお、以下に述べるソーラーパネル１０の製造方法においては、保護膜２０の形成手法に大きな特徴が存するものであるところから、従来より公知の過程等（例えば、ソーラーセル封止体１８の形成過程や、真空ラミネート装置等）については、詳細な説明を省略することとする。
【００２９】
先ず、炭素繊維強化プラスチック製の基板１２と、オレフィン系の樹脂材料をシート状に成形してなる２枚の封止材シート３６、３６と、バスバー２６及びインターコネクタ２８によって接続された複数のソーラーセル１６とが準備される。そして、複数のソーラーセル１６が、２枚の封止材シート３６、３６間に挟まれた状態で、基板１２上に載置される（図３参照）。
【００３０】
さらに、透明性を有するポリカーボネート樹脂材料の硬化物たる２枚の透明シート４０、４０と、樹脂材料用の顔料又は染料が添加されて黒色に着色されたポリカーボネート樹脂材料の硬化物たる着色シート４２とが、準備される。ここで、着色シート４２は、予めバスバー２６及びインターコネクタ２８の配設パターンに合わせた平面形態を呈するものとされている。また、着色シート４２を構成するポリカーボネート樹脂は、透明シート４０を構成するポリカーボネート樹脂との比較において、メルトマスフローレートが小さいものが使用されている。
【００３１】
そして、それら透明シート４０、４０及び着色シート４２が所定の態様において重ね合わされて、封止材シート３６上に載置される。即ち、着色シート４２が、２枚の透明シート４０、４０間に挟まれた状態で、上側の封止材シート３６上に載置される。なお、上側の封止材シート３６と透明シート４０との間には、接着剤シート４４が挟まれている。
【００３２】
このようにして、図３に示されるように、基板１２、封止材シート３６、ソーラーセル１６、封止材シート３６、接着剤シート４４、透明シート４０、着色シート４２、及び透明シート４０が、この順に重ね合わされた積層体４６が、準備されるのである。
【００３３】
次いで、かかる積層体４６に対して、公知のラミネート加工を行なって、各構成部材を一体化せしめる。即ち、積層体４６が、公知の真空ラミネート装置内へ配置され、減圧下で、加熱及び加圧されることにより、積層体４６の各構成部材が一体化せしめられることとなる。
【００３４】
そして、そのようなラミネート加工において、透明シート４０、４０と着色シート４２とが熱融着せしめられることにより、保護膜２０が形成されることとなるのである。
【００３５】
なお、上述せるように、着色シート４２を構成するポリカーボネート樹脂のメルトマスフローレートが、透明シート４０を構成するポリカーボネート樹脂のメルトマスフローレートよりも小さいことから、ラミネート加工の際の熱によって、図４の（ａ）に示されるように、透明シート４０、４０が優先的に、着色シート４２を取り囲むように流動する［図４の（ａ）の二点鎖線矢印参照］一方、着色シート４２の流動は抑制されることとなるのである。
【００３６】
そして、積層体４６が冷却せしめられることによって、図４の（ｂ）に示されるように、透明シート４０、４０からなる透明部３０と、着色シート４２からなる着色部３２とが一体化されてなる保護膜２０が、形成されることとなるのである。
【００３７】
その後、真空ラミネート装置から、積層体４６の一体化物が取り出され、以て、図１及び図２に示される如き構造を有するソーラーパネル１０が得られるのである。
【００３８】
以上の説明から明らかなように、上記の製造方法により得られるソーラーパネル１０は、保護膜２０が、透明シート４０、４０と着色シート４２とを熱融着せしめることによって形成されていると共に、着色シート４２によって、着色部３２が構成されているところから、ソーラーパネル１０の製造時乃至は使用時において、着色部３２における亀裂の発生や着色部３２の滲みの発生が、従来の塗装等によって着色部を設けた場合と比較して、格段に抑制されることとなるのである。
【００３９】
そして、そのような着色部３２が、複数のソーラーセル１６に接続されたバスバー２６及びインターコネクタ２８を覆うように、保護膜２０において配置されているところから、ソーラーパネル１０の表面側（ソーラーセル１６の受光面側）からバスバー２６及びインターコネクタ２８が視認されたり、それらが光を反射してぎらついたりすることが有利に防止される。即ち、ソーラーパネル１０においては、乱れのない着色部３２によって、バスバー２６及びインターコネクタ２８が覆い隠されているのであり、以て、優れた意匠性を発揮することとなるのである。
【００４０】
また、上述した製造方法においては、着色シート４２が２枚の透明シート４０、４０間に挟持せしめられた状態で熱融着せしめられることにより、保護膜２０が、２枚の透明シート４０、４０により与えられる透明部３０内に、着色部３２を収容した形態において形成されているところから、それら着色シート４２と透明シート４０、４０との境界部分に不可避的に生じる凹凸が、ソーラーパネル１０の表面に露呈しないようにされている。そのため、そのような凹凸によってソーラーパネル１０の意匠性が低下することが有利に阻止されることとなる。また、これにより、着色部３２を有利に所望の位置に形成することが出来るという利点もある。
【００４１】
加えて、着色部３２を構成する合成樹脂材料のメルトマスフローレートが、透明部３０を構成する合成樹脂材料のメルトマスフローレートよりも小さいことから、着色シート４２と透明シート４０、４０とが熱融着せしめられる際に、着色シート４２が移動乃至流動して、形成される着色部３２の乱れが発生してしまうことが有利に防止されることとなり、以て、ソーラーパネル１０においてより一層優れた意匠性が発揮される。
【００４２】
また、上記したソーラーパネルの製造方法にあっては、保護膜２０において、透明シート４０、４０と着色部３２とを、所望の位置関係において一体化して、着色部３２を保護膜２０における所望の位置に、乱れなく形成することが可能である。
【００４３】
さらに、上記の製造方法においては、着色シート４２と透明シート４０、４０とが、積層体４６のラミネート加工と同時に熱融着せしめられるようになっている。これにより、別途、着色シート４２と透明シート４０、４０との熱融着工程を行なう必要がないところから、ソーラーパネル１０の製造コストを高騰させることなく、有利に着色部３２を形成し、ソーラーパネル１０の意匠性を高めることが出来る。
【００４４】
なお、ソーラーパネル１０は、保護膜２０が樹脂製とされていることにより、形状自由度が高いという利点もある。従って、ソーラーパネル１０を自動車等に搭載するにあたって、予めその外形形状に合わせた湾曲形状とすることが容易になる。
【００４５】
ところで、図５及び図６には、それぞれ、本発明に従うソーラーパネルの別の実施形態が、断面形態において、示されている。なお、それら図５及び図６に示されるソーラーパネルにおいて、先のソーラーパネル１０と同様な構造の部分には、同一の符号を付して、詳細な説明は省略することとする。
【００４６】
ここで、図５に示されるソーラーパネル４８においては、保護膜２０において、着色部３２が、保護膜２０の下部部位であって、かかる保護膜２０の下面（ソーラーセル封止体１８側の面）に露呈するように形成されている。
【００４７】
また、図６に示されるソーラーパネル５０においては、保護膜２０において、着色部３２が、保護膜２０の上部部位であって、かかる保護膜２０の上面（表面）に露呈するように形成されている。
【００４８】
このようなソーラーパネル４８、５０にあっても、保護膜２０において、透明部３０と着色部３２とが熱融着せしめられて一体化されていると共に、着色部３２が所定の形態にて形成されているところから、上記せるようにして、着色部３２の乱れの発生が阻止されており、以て、ソーラーパネル４８、５０が優れた意匠性を発揮することとなる。
【００４９】
そして、そのようなソーラーパネル４８、５０の製造に際しては、着色シート４２が１枚の透明シート４０の下側又は上側において重ね合わされた状態でラミネート加工されることにより、それら着色シート４２と透明シート４０とが熱融着せしめられて、保護膜２０が形成される。かくして、ソーラーパネル４８、５０が、有利に製造される。
【００５０】
以上、本発明の代表的な実施形態について幾つか詳述してきたが、それらは、あくまでも例示に過ぎないものであって、本発明は、そのような実施形態に係る具体的な記述によって、何等限定的に解釈されるものではないことが、理解されるべきである。
【００５１】
例えば、保護膜は、ラミネート加工工程時に、透明シートと着色シートとが熱融着せしめられて形成される構成に限られるものではなく、予め、透明シートと着色シートとを熱融着せしめて、一体化しておくことも出来る。これにより、ソーラーパネルの製造時における着色シートのズレ等を有利に防止し、着色部を所望の位置に有利に形成することが出来る。また、このような構成においても、着色部が、透明シートに着色シートを熱融着せしめることにより、保護膜において一体的に形成されているところから、バスバー及びインターコネクタを隠すために、別途、塗装等の加飾を施す構成や、透明シートに着色シートを貼り付ける構成に比べて、コストが低減されるという利点を得ることが出来る。
【００５２】
なお、予め、透明シートと着色シートとを熱融着せしめて、保護膜を形成することにより、かかる保護膜を含むソーラーパネルの各構成部材を、ラミネート加工ではなく、接着により一体化してソーラーパネルを製造することも可能となる。
【００５３】
また、ソーラーセル封止体の厚さは、ソーラーパネルの耐衝撃性能に対して、適宜に調整されるものである。かかるソーラーセル封止体の厚さは、ソーラーパネルの製造時において、封止材を与える樹脂製シートの枚数を増減させることにより調整することが可能である。
【００５４】
さらに、保護膜における着色部は、黒色に着色されるものに、何等限られず、求められる意匠性や、基板及びソーラーセルの色に合わせて、紫色、紺色、灰色等の色に着色されることとなる。また、最近のソーラーパネルでは、受光面側から入射されて、ソーラーセルに当たらなかった太陽光を、基板にて反射させて再利用するため、基板が白色に着色されたものもある。そのような場合、基板の白色に合わせて、着色部を白色とすることも可能であり、更に、ぎらつきを防止するために、着色部に対してツヤ消し処理を施すことも出来る。なお、着色に際しては、要求される色に応じた着色剤が適宜に選択されて、使用される。
【００５５】
その他、一々列挙はしないが、本発明は、当業者の知識に基づいて、種々なる変更、修正、改良等を加えた態様において実施され得るものであり、そして、そのような実施の態様が、本発明の趣旨を逸脱しない限りにおいて、何れも、本発明の範疇に属するものであることは、言うまでもないところである。
【符号の説明】
【００５６】
１０、４８、５０  ソーラーパネル      １２    基板
１４    封止材                        １６    ソーラーセル
１８    ソーラーセル封止体            ２０    保護膜
２６    バスバー                      ２８    インターコネクタ
３０    透明部                        ３２    着色部
３４    表面保護層                    ４０    透明シート
４２    着色シート                    ４６    積層体
【図１】
2016207960.tif 000003
【図２】
2016207960.tif 000004
【図３】
2016207960.tif 000005
【図４】
2016207960.tif 000006
【図５】
2016207960.tif 000007
【図６】
2016207960.tif 000008